(57)【要約】      （修正有）【課題】プラスチックコア本体と後プラグ座との組立てがより快速的で容易になる電気コネクタを提供する。【解決手段】電気コネクタは、プラスチックコア本体１０と、複数の導電端子２０と、後プラグ座３０とを備え、前記プラスチックコア本体には、複数の端子孔１１と第一係合部１３を有し、上記第一係合部が上記プラスチックコア本体の後端に設置される。前記複数の導電端子は、上記プラスチックコア本体の端子孔に挿設される。前記後プラグ座は上記プラスチックコア本体の後端に係合され、且つその後プラグ座の先端には上記プラスチックコア本体の第一係合部に係合される第二係合部３５がある。操作者が後プラグ座の第二係合部を第一係合部に押し入れるだけで、両者を互いに係合することができ、組立てがより簡単で快速的である。【選択図】図２
0003145513.tif 000002
【実用新案登録請求の範囲】
【請求項１】
複数の端子孔と第一係合部を有し、上記第一係合部が、上記プラスチックコア本体の後端に設置されるプラスチックコア本体と、
上記プラスチックコア本体の端子孔に挿設される複数の導電端子と、
上記プラスチックコア本体の後端に係合される後プラグ座と、を備え、
上記後プラグ座の先端に、上記プラスチックコア本体の第一係合部に係合される第二係合部があることを特徴とする電気コネクタ。
【請求項２】
上記第一係合部は複数の係合フックを有し、上記第二係合部は複数の係合槽を有し、前記複数の係合フックは前記複数の係合槽内に収納され、且つ係合槽の先端に抵当することを特徴とする請求項１に記載の電気コネクタ。
【請求項３】
前記複数の係合フックは、上記プラスチックコア本体の後端の上下側に設置され、前記複数の係合槽は、上記後プラグ座の先端の上下両側に設置され、また、上記係合フックの位置が上記係合槽の位置に対応することを特徴とする請求項２に記載の電気コネクタ。
【請求項４】
上記後プラグ座は、複数の端子槽を備え、前記複数の導電端子の後端が前記複数の端子槽に収納されることを特徴とする請求項１に記載の電気コネクタ。
【請求項５】
上記プラスチックコア本体の後端の両側から二つの側壁が延び、上記後プラグ座が上記二つの側壁内に位置することを特徴とする請求項１に記載の電気コネクタ。
【請求項６】
上記二つの側壁には定位槽が形成され、上記後プラグ座の両側には定位ブロックが突設され、上記定位ブロックが上記定位槽内に収納可能であることを特徴とする請求項５に記載の電気コネクタ。
【請求項７】
上記電気コネクタは、更に上記プラスチックコア本体と後プラグ座の外を覆う鉄ケースを有することを特徴とする請求項１に記載の電気コネクタ。
【請求項８】
上記鉄ケースは、上鉄ケースと下鉄ケースを有し、上記上鉄ケースが下鉄ケースの外に係合されることを特徴とする請求項７に記載の電気コネクタ。
【請求項９】
上記鉄ケースの両側にはそれぞれ内へ伸びて上記プラスチックコア本体の裏面に抵当するストッパーがあることを特徴とする請求項７に記載の電気コネクタ。
【請求項１０】
上記電気コネクタは、ディスプレイポート電気コネクタであることを特徴とする請求項７に記載の電気コネクタ。
【考案の詳細な説明】
【技術分野】
【０００１】
本考案は、電気コネクタに関し、特に、プラスチックコア本体と後プラグ座が、互いに締め合う電気コネクタに関する。
【背景技術】
【０００２】
様々の電子製品が普及するとともに、電子製品同士を連接するための部品である電気コネクタ(electrical connector)のニーズも増大する。如何に電気コネクタの電気特性を良くして、組立てることが容易に且つ快速に実現できることは、至急に解決しなければならない問題になる。
【０００３】
従来のプラグ型電気コネクタ(plug connector)は、例えば、米国特許掲載公報ＵＳ６、９９７、７３３号に記載されるように、プラスチックコア本体と後プラグ座及び複数の導電端子が備える。上記電気コネクタの組立ては、まず、複数の導電端子を上記プラスチックコア本体の端子孔に挿設してから、上記後プラグ座を上記プラスチックコア本体の裏側にある両側壁に係合する。上記プラスチックコア本体の両側壁が上記後プラグ座に対する係合力は、上記後プラグ座の幅が上記両側壁の幅に対する干渉量によって決められ、その干渉量が大きければ、両者の係合力が大きくなる。
【０００４】
しかし、上記の従来の電気コネクタの組立て方法は、次の欠点がある。即ち、後プラグ座を安定的にプラスチックコア本体の裏側に結合するため、上記後プラグ座と側壁との間の干渉量を大きく設計しなければ両者の間で十分な係合力が発生することができない。しかし、それに対して、操作者が比較的に大きい力でないと、後プラグ座を側壁内に嵌入することができなくなり、操作者が簡単に両者を組み合わせることができない。
【０００５】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００６】
本考案の主な目的は、そのプラスチックコア本体と後プラグ座との組立てがより快速的で容易になる電気コネクタを提供する。
【課題を解決するための手段】
【０００７】
上記目的を達成するため、本考案による電気コネクタは、プラスチックコア本体と、複数の導電端子と、後プラグ座とを備える電気コネクタである。前記プラスチックコア本体には、複数の端子孔と第一係合部を有し、上記第一係合部が上記プラスチックコア本体の後端に設置される。前記複数の導電端子は、上記プラスチックコア本体の端子孔に挿設される。前記後プラグ座は上記プラスチックコア本体の後端に係合され、且つその後プラグ座の先端には上記プラスチックコア本体の第一係合部に係合される第二係合部がある。
【０００８】
本考案によれば、次の効果が得られる。
【０００９】
１．上記後プラグ座をプラスチックコア本体の後端に組み立てようとする時、後プラグ座の第二係合部をプラスチックコア本体の第一係合部に押し入れるだけで、両者が互いに締め合い、簡単に脱着してしまうこともなく、組立てがより簡単で快速的である。
【００１０】
２、操作者は、大きい力でなくても、第二係合部を第一係合部に係合することができるので、組立てがより容易で便利になる。
【００１１】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１２】
図１及び図２に示した本考案による電気コネクタは、プラスチックコア本体１０と、複数の導電端子２０と、後プラグ座線止め座３０と、鉄ケース４０とを備え、上記電気コネクタは、主として、ディスプレイポート(Display port)電気コネクタに適用される。
【００１３】
図３と図４及び図５を参照すると、上記プラスチックコア本体１０は絶縁材料からなるもので、複数の端子孔１１と二つの側壁１２及び第一係合部１３を備える。複数の端子孔１１は水平に配列され、且つ上記プラスチックコア本体１０の前後両面まで貫通した。上記二つの側壁１２は、上記プラスチックコア本体１０の後端の両側から後へ延び出し、上記二つの側壁１２の内にはそれぞれ後記後プラグ座３０の定位ブロック３４を収納するための定位槽１２１が形成される。上記第一係合部１３は、上記プラスチックコア本体１０の後端に設置され、複数の前へ伸びる係合フック１３１を備える。前記複数の係合フック１３１は、上記プラスチックコア本体１０の上下両側に配置される。
【００１４】
複数の導電端子２０は、高導電率である金属材料からなり、順に上記プラスチックコア本体１０の端子孔１１に挿設される。また、複数の導電端子２０の裏側は上記プラスチックコア本体１０の裏側の外まで伸びる。
【００１５】
図６を参照すると、上記後プラグ座３０は絶縁材料からなる。また、上記プラスチックコア本体１０の後端に係合され且つプラスチックコア本体１０の二つの側壁１２の間に位置する。
【００１６】
上記後プラグ座３０は、舌片３１と、複数の貫通穴３２と、複数の端子槽３３と、二つの定位ブロック３４と、第二係合部３５と、を備える。上記舌片３１は上記後プラグ座３０の裏側から後へ伸びる。上記貫通穴３２は水平に配列され且つ上記後プラグ座３０の前後両側に貫設される。上記貫通穴３２の水平に配列された位置が、上記プラスチックコア本体１０の端子孔１１の位置に対応する。
【００１７】
複数の端子槽３３は上記舌片３１上に設置され、且つ前記複数の貫通穴３２と連通される。上記二つの定位ブロック３４は、上記後プラグ座３０の両側から外へ突設する。
【００１８】
上記第二係合部３５は、上記後プラグ座３０の先端に設置される。その配置位置は第一係合部１３の位置に対応する。上記第二係合部３５は、上記後プラグ座３０の先端の上下両側に設置された複数の係合槽３５１を有する。
【００１９】
上記後プラグ座３０が上記プラスチックコア本体１０の後端に係合される際、上記導電端子２０の後端は、上記後プラグ座３０の貫通穴３２を通して上記舌片３１の端子槽３３まで伸び収納される。プラスチックコア本体１０の係合フック１３１は、上記後プラグ座３０の係合槽３５１内に位置して収納され、且つ複数の係合槽３５１の先端に抵当する。これにより、上記後プラグ座３０は後退して脱離することがない。
【００２０】
上記プラスチックコア本体１０の二つの側壁１２は、上記後プラグ座３０の両側の外に位置し、水平方向の保護を提供することができる。これにより、後プラグ座３０が水平に大きく変位することはない。上記後プラグ座３０の両側に位置する定位ブロック３４は、上記側壁１２の定位槽１２１内に収納され、後プラグ座３０が垂直方向に大きく変位することを防止する。上記側壁１２と定位槽１２１により、後プラグ座３０が、より安定的にプラスチックコア本体の後端に係合される。
【００２１】
プラスチックコア本体１０と導電端子２０及び後プラグ座３０を組み立てから、更に上記鉄ケース４０で、上記プラスチックコア本体１０と後プラグ座３０の外を覆う。上記鉄ケース４０は、上鉄ケース４１と下鉄ケース４２を備える。組み立てる際、まず、上記上鉄ケース４１をプラスチックコア本体１０の先端からプラスチックコア本体１０に嵌設し、それから下鉄ケース４２を上鉄ケース４１の下方から、上記上鉄ケース４１の両側に嵌入する。これにより、上記プラスチックコア本体１０と、導電端子２０及び後プラグ座３０は上鉄ケース４１と下鉄ケース４２との間に挟まれるようになる。
【００２２】
また、上記鉄ケース４０の両側にはそれぞれ内へ伸びるストッパー４３がある。ストッパー４３は上鉄ケース４１か下鉄ケース４２の何れか一つに設置されてもよいが、本実施例において、ストッパー４３は上鉄ケース４１に設置される。上記ストッパー４３は、上記プラスチックコア本体１０の両側壁１２の裏面に抵当することで、上記プラスチックコア本体１０が鉄ケース４０内に摺動することを防止する。これにより、プラスチックコア本体は安定的に鉄ケース４０に固定される。
【００２３】
本考案によれば、次のような効果が得られる。即ち、上記後プラグ座３０をプラスチックコア本体１０の後端に組み立てようとする時、後プラグ座３０の第二係合部３５を上記プラスチックコア本体１０の第一係合部１３に押し入れるだけで、第一係合部１３の係合フック１３１が第二係合部３５の係合槽３５１に入り込んで係合することができる。これにより、両者が互いに締め合い、簡単に脱着してしまうこともなく、組立てがより簡単で快速的である。また、操作者は、大きい力でなくても後プラグ座３０をプラスチックコア本体１０に係合することができ、、組立てがより容易で便利になる。
【００２４】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００２５】
【図１】本考案に係る電気コネクタの斜視図
【図２】本考案に係る電気コネクタの分解斜視図
【図３】本考案に係る電気コネクタのプラスチックコア本体と後プラグ座を組み立てた場合の斜視図
【図４】本考案に係る電気コネクタのプラスチックコア本体と後プラグ座の分解斜視図
【図５】本考案に係る電気コネクタのプラスチックコア本体と後プラグ座の他の角度の分解斜視図
【図６】本考案に係る電気コネクタのプラスチックコア本体と後プラグ座の他の角度の分解斜視図
【符号の説明】
【００２６】
１０    プラスチックコア本体
１１    端子孔
１２    側壁
１２１  定位槽
１３    第一係合部
１３１  係合フック
２０    導電端子
３０    後プラグ座
３１    舌片
３２    貫通穴
３３    端子槽
３４    定位ブロック
３５    第二係合部
３５１  係合槽
４０    鉄ケース
４１    上鉄ケース
４２    下鉄ケース
４３    ストッパー
【図１】
0003145513.tif 000003
【図２】
0003145513.tif 000004
【図３】
0003145513.tif 000005
【図４】
0003145513.tif 000006
【図５】
0003145513.tif 000007
【図６】
0003145513.tif 000008